(57)【要約】【課題】ケース本体の外観が綺麗な状態の情報記録媒体を提供する。【解決手段】データの書き込みおよび消去を許容する許容位置からデータの書き込みおよび消去を禁止する禁止位置までの間においてケース本体の側壁２２ａに沿ってスライド可能にケース本体に配設された誤消去防止用のプラグ４を備え、プラグ４は、本体部４１と、本体部４１のスライド方向に対して直交しかつケース本体の内部側に向かう方向に突出するように本体部４１に配設された突起部４２とを備えて構成され、ケース本体は、側壁２２ａに平行またはほぼ平行なリブ２３を備え、リブ２３には、プラグ４が許容位置に位置している状態において突起部４２を係合させる凹部２３ａと、プラグ４が禁止位置に位置している状態において突起部４２を係合させる凹部２３ｂとが底板２１側に向けて凹むようにして形成されている。【選択図】図１３
2006331466.tif 000002
【特許請求の範囲】
【請求項１】
テープリールを回転可能に収容するケース本体と、データの書き込みおよび消去を許容する許容位置から当該データの書き込みおよび消去を禁止する禁止位置までの間において前記ケース本体の側壁に沿ってスライド可能に当該ケース本体に配設された誤消去防止用のプラグとを備え、
前記プラグは、前記側壁に沿ってスライドさせられる本体部と、当該本体部のスライド方向に対して直交しかつ配設状態において前記ケース本体の内部側に向かう方向に突出するように当該本体部に配設された柱状の突起部とを備えて構成され、
前記ケース本体は、前記側壁に平行またはほぼ平行な壁部を備え、
前記壁部には、前記プラグが前記許容位置に位置している状態において前記突起部を係合させる第１凹部と、前記プラグが前記禁止位置に位置している状態において前記突起部を係合させる第２凹部とが前記底面側に向けて凹むようにして形成されている情報記録媒体。
【請求項２】
前記第１凹部および前記第２凹部は、その端面が連続した曲面で形成されると共に、その正面形状が両者の間の凸部の頂点を中心として左右対称となるように形成されている請求項１記載の情報記録媒体。
【発明の詳細な説明】
【技術分野】
【０００１】
本発明は、誤消去防止用のプラグを備えた情報記録媒体に関するものである。
【背景技術】
【０００２】
この種の情報記録媒体として、特開平９−２８２８３７号公報に開示されたテープカートリッジが知られている。このテープカートリッジは、上下ケースを有する本体ケースと、本体ケースの内部に回転自在に収容されたリールとを備えて構成されている。また、このテープカートリッジには、消去可能（記録可能）位置と消去不能（記録不能）位置とに切り換え可能な誤消去防止用のスライドピースが下ケースの隅部にスライド可能に組み込まれている。この場合、スライドピースは、表示板部と、表示板部の下端に連設された弁体部と、表示板部の上端部から片持ち状に連出形成されると共に先端部に爪が設けられた弾性アームとを備えている。また、上ケースの内面には、弾性アームの爪が係合する２つの凹部が設けられている。このテープカートリッジでは、スライドピースが消去可能位置に位置している状態では、弾性アームの爪が上ケースにおける一方の凹部に係合して、スライドピースがこの状態に保持される。また、この状態では、弁体部によって下ケースの検出孔が閉じられるため、ＶＴＲによって消去可能な状態が検出される。一方、スライドピースが消去不能位置に位置している状態では、弾性アームの爪が上ケースにおける他方の凹部に係合して、スライドピースがこの状態に保持される。また、この状態では、検出孔が開放されるため、ＶＴＲによって消去不能な状態が検出される。
【特許文献１】特開平９−２８２８３７号公報（第３−４頁、第１図）
【発明の開示】
【発明が解決しようとする課題】
【０００３】
ところが、上記のテープカートリッジには、以下の問題点がある。すなわち、このテープカートリッジでは、アームに形成された爪を係合させる凹部が、上ケースの内面に形成されている。この場合、このテープカートリッジでは、この凹部およびこの凹部の周囲（凹部から見て凸部分）が上ケースの外側から模様状に視認されることがある。したがって、このテープカートリッジには、上ケースの内面に凹部を形成したことに起因して外観が損われるおそれがあるという問題点が存在する。また、このテープカートリッジでは、弾性アームが表示板部の上端部から片持ち状に連出形成されている。この場合、片持ち状の弾性アームは、その構造上、支点の位置の関係から、凹部に爪が係合する際に弾性アームに加わる力の大きさと、凹部から爪が離脱する際に弾性アームに加わる力の大きさとが互いに異なっている。したがって、このテープカートリッジには、消去可能位置から消去不能位置に向かう方向にスライドピースをスライドさせる際に要する力の大きさと、その逆方向にスライドピースをスライドさせる際に要する力の大きさとが互いに異なるという問題点も存在する。
【０００４】
本発明は、かかる問題点に鑑みてなされたものであり、ケース本体の外観が綺麗な状態の情報記録媒体を提供することを主目的とする。また、誤消去防止用のプラグをスライドの向きに拘わらず等しい力でスライドさせ得る情報記録媒体を提供することを他の目的とする。
【課題を解決するための手段】
【０００５】
上記目的を達成すべく本発明に係る情報記録媒体は、テープリールを回転可能に収容するケース本体と、データの書き込みおよび消去を許容する許容位置から当該データの書き込みおよび消去を禁止する禁止位置までの間において前記ケース本体の側壁に沿ってスライド可能に当該ケース本体に配設された誤消去防止用のプラグとを備え、前記プラグは、前記側壁に沿ってスライドさせられる本体部と、当該本体部のスライド方向に対して直交しかつ配設状態において前記ケース本体の内部側に向かう方向に突出するように当該本体部に配設された柱状の突起部とを備えて構成され、前記ケース本体は、前記側壁に平行またはほぼ平行な壁部を備え、前記壁部には、前記プラグが前記許容位置に位置している状態において前記突起部を係合させる第１凹部と、前記プラグが前記禁止位置に位置している状態において前記突起部を係合させる第２凹部とが前記底面側に向けて凹むようにして形成されている。
【０００６】
この場合、前記第１凹部および前記第２凹部の端面を連続した曲面で形成すると共に、両凹部の正面形状を両者の間の凸部の頂点を中心として左右対称となるように形成することができる。
【発明の効果】
【０００７】
本発明に係る情報記録媒体によれば、スライド方向に対して直交しかつケース本体の内部側に向かう方向に突出する柱状の突起部を備えてプラグを構成すると共に、許容位置および禁止位置において突起部をそれぞれ係合させる第１凹部および第２凹部が形成された壁部を備えてケース本体を構成したことにより、ケース本体の側壁や天板に係合用の凹部を直接形成することなく、突起部および壁部によってプラグを許容位置および禁止位置において保持することができる。このため、側壁や天板に凹部を形成することによって凹部および凹部の周囲が外側から模様状に視認される事態を確実に防止することができる結果、ケース本体の外観不良の発生を確実に防止することができる。したがって、外観が綺麗な状態の情報記録媒体を実現することができる。
【０００８】
また、本発明に係る情報記録媒体によれば、壁部における第１凹部および第２凹部の端面を連続する曲面で形成したことにより、突起部を壁部の端面に沿って滑らかに移動させることができる。このため、プラグをスムーズにスライドさせることができる。また、凸部の頂点を中心として左右対称の形状に第１凹部および第２凹部を形成したことにより、プラグをスライドの向きに拘わらず等しい力でスライドさせることができる。
【発明を実施するための最良の形態】
【０００９】
以下、本発明に係る情報記録媒体の最良の形態について、添付図面を参照して説明する。
【００１０】
最初に、情報記録媒体１の構成について、図面を参照して説明する。
【００１１】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、誤消去防止用のプラグ４、リールブレーキ５、シート６，６、スライド部７およびフロントカバー８を備えて構成されている。
【００１２】
テープリール２は、図１，２に示すように、磁気テープＴを巻回可能に構成されて、ケース本体３の内部に収容されている。この場合、テープリール２の一端部（図２では上端部）には、リールブレーキ５の突起部５１ａが係合することによって回転が禁止される歯部２ａが形成されている。
【００１３】
ケース本体３は、図１に示すように、互いに嵌合可能な下ケース１１および上ケース１２を備えて構成されて、両ケース１１，１２の嵌合状態において形成される内部空間にテープリール２，２を回転可能に収容する。下ケース１１は、図３に示すように、底板２１、側壁２２ａ〜２２ｆおよびリブ２３を備えて、全体として、浅皿状に形成されている。底板２１は、情報記録媒体１をドライブ装置に挿入する際の前面側（図３における下側）の中央部に切り欠き部２１ａが形成されて構成されている。この場合、この切り欠き部２１ａおよび後述する上ケース１２の開口部１２ａによって磁気テープＴの引き出し口が構成される。また、底板２１には、ドライブ装置の駆動軸を挿通させるための円形の挿通孔２１ｂ，２１ｂが形成されている。また、底板２１の切り欠き部２１ａ側には、スライド部７のスライドを規制するためのアーム状のロック部２１ｃ，２１ｃが形成されている。側壁２２ａ〜２２ｆは、底板２１の縁部にそれぞれ立設されている。この場合、側壁２２ａには、図８，９に示すように、後述するプラグ４の凸部４１ａを露出させる窓部（切り欠き）２２ｗが形成されている。
【００１４】
リブ２３は、本発明における壁部に相当し、図４に示すように、側壁２２ａと側壁２２ｂとによって形成される角部において、側壁２２ａに対して平行（またはほぼ平行）となるように、底板２１上（本発明における底面）に立設されている。また、リブ２３は、後述する許容位置Ａおよび禁止位置Ｂにおいてプラグ４を保持する機能を有しており、プラグ４が許容位置Ａに位置している状態においてプラグ４の突起部４２（図７参照）を係合させる凹部２３ａ（本発明における第１凹部）、およびプラグ４が禁止位置Ｂに位置している状態において突起部４２を係合させる凹部２３ｂ（本発明における第２凹部）が底板２１側に凹むようにしてそれぞれ形成されて構成されている。この場合、凹部２３ａ，２３ｂおよび両者の間の凸部２３ｃは、各々の端面（図４において上面）が連続した曲面で繋がるようにして形成されている。また、凹部２３ａ，２３ｂは、その形状が凸部２３ｃの頂点を中心として左右対称となるように形成されている。ここで、この情報記録媒体１では、リブ２３が底板２１上に立設されているため、プラグを許容位置および禁止位置で保持するための凹部が側壁や天板に形成されている構成とは異なり、凹部および凹部の周囲が外側から模様状に視認されてケース本体の外観が損なわれる事態が確実に回避されている。
【００１５】
上ケース１２は、図５に示すように、天板３１、側壁３２ａ〜３２ｅを備えて、ドライブ装置に挿入する際の前面側に開口部１２ａを有する浅皿状に形成されている。天板３１は、全体として矩形に形成されている。また、天板３１の中央部には、矩形の天窓３１ａが形成され、この天窓３１ａには、透明な（またはほぼ透明な）カバー３４が取り付けられている。側壁３２ａ〜３２ｅは、天板３１の縁部にそれぞれ立設されている。
【００１６】
プラグ４は、情報記録媒体１に記録されているデータの誤消去を防止するために用いられる誤消去防止用のプラグであって、図６，７に示すように、本体部４１および突起部４２を備えて構成されている。本体部４１は、図８，９に示すように、ケース本体３における許容位置Ａから禁止位置Ｂまでの間において、下ケース１１の側壁２２ａおよび上ケース１２の側壁３２ａに沿ってスライド可能にケース本体３内に配設されている。この場合、許容位置Ａは、データの書き込みおよび消去（以下、単に「データの消去」ともいう）を許容する位置であって、この許容位置Ａにプラグ４が位置しているときには、下ケース１１の検出用孔２１ｄが本体部４１によって閉塞される。このため、データの消去が許容されている状態にあることが、ドライブ装置の検出部によって検出される。また、禁止位置Ｂは、データの消去を許容する位置であって、この禁止位置Ｂにプラグ４が位置しているときには、下ケース１１の検出用孔２１ｄが開口される。このため、データの消去が禁止されている状態にあることが、ドライブ装置の検出部によって検出される。また、本体部４１には、図６に示すように、プラグ４をスライドさせる際に用いられる凸部４１ａが取り付けられている。
【００１７】
突起部４２は、図７に示すように、円柱状に形成されて、本体部４１のスライド方向（図１３に示す矢印Ｃ，Ｄの方向）に対して直交し、かつプラグ４がケース本体３に配設された状態においてケース本体３の内部側に向かう方向（図８において紙面奥側）に突出するように本体部４１に形成（配設）されている。この場合、突起部４２は、図１５に示すように、プラグ４が許容位置Ａに位置しているときには、リブ２３の凹部２３ａに係合（当接）し、図１３に示すように、プラグ４が禁止位置Ｂに位置しているときには、リブ２３の凹部２３ｂに係合（当接）する。また、突起部４２は、図１３〜１５に示すように、プラグ４がスライドさせられたときに、リブ２３の端面にその外周面が当接しつつ（擦り付けられつつ）移動させられる。ここで、突起部４２が円柱状のため、プラグ４を射出成形するための成形用金型の構造が簡易となり、これによって成形用金型の加工も容易となっている。
【００１８】
リールブレーキ５は、図１０に示すように、本体部５１および腕部５２，５２を備えて構成されている。本体部５１は、テープリール２，２に対して接離する方向に沿ってスライド可能にケース本体３の内部に配設されると共に、図１に示すスプリング９ａによってテープリール２，２に近接する向きに付勢されている。また、本体部５１には、２つの突起部５１ａ，５１ａが形成されている。この場合、本体部５１は、テープリール２，２に近接したときに、突起部５１ａ，５１ａがテープリール２，２の歯部２ａにそれぞれ係合することにより、テープリール２，２の回転を規制する。また、本体部５１は、テープリール２，２から離間したときにテープリール２，２の歯部２ａに対する突起部５１ａ，５１ａの係合が解除されることにより、テープリール２，２の回転規制を解除する。腕部５２，５２は、図１０に示すように、本体部５１の両端部にそれぞれ突出形成されている。この場合、腕部５２，５２は、フロントカバー８の回動に伴って移動することにより、テープリール２，２に対して接離する方向に沿って本体部５１をスライドさせる。
【００１９】
シート６，６は、例えば、樹脂材料によって成形されたシートであって、図１に示すように、下ケース１１とテープリール２との間、およびテープリール２と上ケース１２との間にそれぞれ配設されている。このシート６は、テープリール２を円滑に回転動作させると共に、磁気テープＴの幅方向への移動を防止することによって磁気テープＴをテープリール２に整然と巻き取らせる機能を有している。
【００２０】
スライド部７は、図１１に示すように、本体部７１および側壁７２，７２を備えて構成されている。本体部７１は、矩形の板状に形成されている。また、本体部７１には、ドライブ装置の駆動軸を挿通させるための円形の挿通孔７１ａ，７１ａが形成されている。側壁７２，７２は、本体部７１の両端部にそれぞれ立設されている。この場合、スライド部７は、下ケース１１にスライド可能に嵌め合わされて、図１に示すスプリング９ｂによって下ケース１１の切り欠き部２１ａ側に向けて付勢されている。
【００２１】
フロントカバー８は、図１２に示すように、本体部８１、および本体部８１の両端部に形成された支持部８２，８２を備えて構成されている。この場合、フロントカバー８は、上ケース１２の側壁３２ｄ，３２ｅに支持部８２，８２が回動可能に取り付けられて、ドライブ装置によって回動させられることにより、本体部８１が開口部１２ａを開閉する。また、フロントカバー８は、回動させられる際に、支持部８２に形成されている突起部（図示せず）がリールブレーキ５の腕部５２の先端部における突起部（図示せず）に係合して腕部５２を移動させることにより、リールブレーキ５の本体部５１をテープリール２，２に対して接離する方向に沿ってスライドさせる。
【００２２】
次に、情報記録媒体１を用いたデータの記録再生方法について、図面を参照して説明する。なお、プラグ４を禁止位置Ｂに位置させている状態であるものとする。
【００２３】
この情報記録媒体１にデータを記録する（書き込む）ときには、まず、図１３に示すように禁止位置Ｂに位置しているプラグ４の凸部４１ａ（図６参照）を摘んで、同図に示す矢印Ｃの方向にプラグ４をスライドさせる。この際に、図１４，１５に示すように、プラグ４（本体部４１）のスライドに伴い、突起部４２が、リブ２３の端面にその外周面を当接しつつ矢印Ｃの方向に移動させられ、凸部２３ｃを乗り越えて、凹部２３ｂに係合させられる。この場合、リブ２３における凹部２３ａ，２３ｂおよび凸部２３ｃの端面が連続する曲面で形成されているため、突起部４２がリブ２３の端面に沿って滑らかに移動する。これにより、プラグ４が許容位置Ａに位置して、プラグ４の本体部４１によって下ケース１１の検出用孔２１ｄが閉塞されることで、データの消去が許容される状態となる。
【００２４】
次いで、ドライブ装置の挿入口から装填部に向けて情報記録媒体１を挿入する。この際に、装填部が情報記録媒体１を内部に引き込み、これに伴い、スライド部７が、下ケース１１の側壁２２ａ側にスライドさせられることにより、スライド部７の挿通孔７１ａと下ケース１１の挿通孔２１ｂとが連通すると共に、下ケース１１における底板２１の切り欠き部２１ａが開口される。続いて、装填部が、ドライブ装置内の駆動軸の先端部に向けて情報記録媒体１を移動させる。この際に、駆動軸が挿通孔７１ａ，２１ａを通ってテープリール２の中心部に挿入される。次いで、ドライブ装置が、フロントカバー８を回動させることにより、上ケース１２の開口部１２ａが開放される。また、フロントカバー８の回動に伴い、リールブレーキ５が、テープリール２，２から離間する方向に沿ってスライドさせられることにより、テープリール２，２の歯部２ａとリールブレーキ５の本体部５１における突起部５１ａ，５１ａとの係合が解除されて、テープリール２，２の回転規制が解除される。
【００２５】
この場合、プラグ４が許容位置Ａに移動されているため、プラグ４の本体部４１によって下ケース１１の検出用孔２１ｄが閉塞されている。このため、ドライブ装置の検出部が、データの消去が許容されている状態にあることを検出する。続いて、ドライブ装置は、磁気テープＴを磁気ヘッドに当接させると共に、テープリール２，２を回転させて、データの書き込みを開始する。続いて、データの書き込みを終了したときには、ドライブ装置は、テープリール２，２の回転を停止させると共に、磁気テープＴから磁気ヘッドを離間させる。次いで、装填部が、駆動軸の先端部から情報記録媒体１を離間させる。続いて、ドライブ装置が、上記した方向とは逆方向にフロントカバー８を回動させることにより、上ケース１２の開口部１２ａが閉塞される。また、フロントカバー８の回動に伴い、リールブレーキ５が、テープリール２，２側にスライドさせられることにより、本体部５１の突起部５１ａ，５１ａがテープリール２，２の歯部２ａに係合して、テープリール２，２の回転が規制される。次いで、装填部が、挿入口の外側に向けて情報記録媒体１を押し出す。この際に、スライド部７が、下ケース１１における底板２１の切り欠き部２１ａ側にスライドさせられて、切り欠き部２１ａが閉塞される。これにより、情報記録媒体１がドライブ装置の挿入口から取り出し可能な状態となる。
【００２６】
一方、情報記録媒体１に記録されているデータの誤消去を防止するときには、図１５に示す許容位置Ａに位置しているプラグ４の凸部４１ａを摘んで、同図に示す矢印Ｄの方向にプラグ４をスライドさせる。この際に、図１４，１３に示すように、プラグ４（本体部４１）のスライドに伴い、突起部４２が、リブ２３の端面にその外周面を当接しつつ矢印Ｄの方向に移動させられ、凸部２３ｃを乗り越えて、凹部２３ｂに係合させられる。この場合、リブ２３における凹部２３ａ，２３ｂおよび凸部２３ｃの端面が連続する曲面で形成されているため、突起部４２がリブ２３の端面に沿って滑らかに移動する。また、凹部２３ａ，２３ｂが、凸部２３ｃの頂点を中心として左右対称の形状に形成されているため、上記した矢印Ｃの方向へのスライドのときと等しい力でプラグ４を矢印Ｄの方向に移動させることができる。これにより、プラグ４が禁止位置Ｂに位置して、下ケース１１の検出用孔２１ｄが開放されることで、データの消去が禁止される状態となる。
【００２７】
次に、データの消去が禁止された状態の情報記録媒体１からデータを読み出すときには、上記と同様にして、ドライブ装置の挿入口から装填部に向けて情報記録媒体１を挿入する。次いで、ドライブ装置が上記と同様に動作して、情報記録媒体１に記録されているデータを読み出す。この場合、プラグ４が禁止位置Ｂに移動されているため、下ケース１１の検出用孔２１ｄが開放されている。このため、データの消去が禁止されている状態にあることをドライブ装置の検出部が検出する。したがって、例えば、データの上書き（記録済みのデータの消去）の操作が誤って行われたとしても、意図しないデータの消去が行われる事態が確実に防止される。続いて、データの読み出しが終了したときには、ドライブ装置が上記と同様に動作することにより、情報記録媒体１がドライブ装置の挿入口から取り出し可能な状態となる。
【００２８】
このように、この情報記録媒体１によれば、スライド方向に対して直交しかつケース本体３の内部側に向かう方向に突出する柱状の突起部４２を備えてプラグ４を構成すると共に、許容位置Ａおよび禁止位置Ｂにおいて突起部４２をそれぞれ係合させる凹部２３ａ，２３ｂが形成されたリブ２３を備えてケース本体３を構成したことにより、ケース本体３の側壁や天板に係合用の凹部を直接形成することなく、突起部４２およびリブ２３によってプラグ４を許容位置Ａおよび禁止位置Ｂにおいて保持することができる。このため、側壁や天板に凹部を形成することによって凹部および凹部の周囲が外側から模様状に視認される事態を確実に防止することができる結果、ケース本体３の外観不良の発生を確実に防止することができる。したがって、外観が綺麗な状態の情報記録媒体１を実現することができる。
【００２９】
また、リブ２３における凹部２３ａ，２３ｂの端面を連続する曲面で形成したことにより、突起部４２をリブ２３の端面に沿って滑らかに移動させることができる。このため、プラグ４をスムーズにスライドさせることができる。また、凸部２３ｃの頂点を中心として左右対称の形状に凹部２３ａ，２３ｂを形成したことにより、矢印Ｃの方向にプラグ４をスライドさせるときと、矢印Ｄの方向にプラグ４をスライドさせるときとで、等しい力でプラグ４をスライドさせることができる。
【００３０】
なお、本発明は、上記の構成に限定されない。例えば、電子計算機に記録されたデータのバックアップに用いられる情報記録媒体１を例に挙げて説明したが、画像データの記録に用いられる情報記録媒体や、音声データの記録に用いられる情報記録媒体等の各種の情報記録媒体に本発明を適用することができる。また、２つのテープリール２を備えた情報記録媒体１を例に挙げて説明したが、単一のテープリールを備えた情報記録媒体に本発明を適用することもできる。なお、下ケース１１の検出孔２１ｄがプラグ４によって閉塞されているか否かに基づいてデータの消去が許容されているか否かをドライブ装置の検出部に検出させる例について上記したが、下ケース１１の窓部２２ｗ（図８，９参照）がプラグ４によって閉塞されているか否かに基づいてデータの消去が許容されているか否かを検出部に検出させることもできる。この場合、検出孔２１ｄおよび窓部２２ｗが閉塞されているか否かを検出する方法としては、赤外線等を用いる光学的な検出方法や、検出孔２１ｄや窓部２２ｗに挿入させるアーム等を用いる機械的な検出方法などの各種の検出方法を採用することができる。
【図面の簡単な説明】
【００３１】
【図１】情報記録媒体１の分解斜視図である。
【図２】情報記録媒体１の平面図である。
【図３】下ケース１１の平面図である。
【図４】リブ２３の周囲の構成を示す下ケース１１の斜視図である。
【図５】上ケース１２の平面図である。
【図６】プラグ４を一方側から見た斜視図である。
【図７】プラグ４を他方側から見た斜視図である。
【図８】プラグ４が許容位置Ａに位置しているときの情報記録媒体１の背面図である。
【図９】プラグ４が禁止位置Ｂに位置しているときの情報記録媒体１の背面図である。
【図１０】リールブレーキ５の平面図である。
【図１１】スライド部７の平面図である。
【図１２】フロントカバー８の平面図である。
【図１３】プラグ４が禁止位置Ｂに位置しているときの下ケース１１およびプラグ４の斜視図である。
【図１４】プラグ４を許容位置Ａから禁止位置Ｂに向けてスライドさせているときの下ケース１１およびプラグ４の斜視図である。
【図１５】プラグ４が許容位置Ａに位置しているときの下ケース１１およびプラグ４の斜視図である。
【符号の説明】
【００３２】
１  情報記録媒体
２  テープリール
３  ケース本体
４  プラグ
２１  底板
２２ａ〜２２ｆ，３２ａ〜３２ｅ 側壁
２３  リブ
２３ａ，２３ｂ  凹部
２３ｃ  凸部
４１  本体部
４２  突起部
Ａ  許容位置
Ｂ  禁止位置
【図１】
2006331466.tif 000003
【図２】
2006331466.tif 000004
【図３】
2006331466.tif 000005
【図４】
2006331466.tif 000006
【図５】
2006331466.tif 000007
【図６】
2006331466.tif 000008
【図７】
2006331466.tif 000009
【図８】
2006331466.tif 000010
【図９】
2006331466.tif 000011
【図１０】
2006331466.tif 000012
【図１１】
2006331466.tif 000013
【図１２】
2006331466.tif 000014
【図１３】
2006331466.tif 000015
【図１４】
2006331466.tif 000016
【図１５】
2006331466.tif 000017